(57)【要約】【課題】機能を実現する複数の工程を一連の工程オブジェクトとして表示し、実行中工程オブジェクトを他の工程オブジェクトから容易に識別できるようにする。【解決手段】表示部２に、機能を実現する複数の工程を一連の工程オブジェクトとして表示し、表示された一連の工程オブジェクトのうちの実行中工程オブジェクトを、他の工程オブジェクトとは異なる表示態様で表示する。例えば、実行中工程オブジェクトを拡大表示し、拡大された実行中工程オブジェクトに詳細工程情報を表示する。【選択図】図１０
2007259349.tif 000002
【特許請求の範囲】
【請求項１】
少なくとも、画像データを取得する画像データ取得工程と、前記画像データを所定パラメータに従って処理する画像データ処理工程を含む複数の工程を経て成立する機能を実現する機能処理装置であって、
表示部と、
前記表示部に、前記機能を実現する複数の工程を示す工程オブジェクトを一覧表示する工程オブジェクト表示手段と、
前記工程オブジェクト表示手段により表示された一連の工程オブジェクトのうちの実行中である工程を示すオブジェクトを、他の工程オブジェクトとは異なる表示態様で表示する実行中工程オブジェクト表示手段と
を備えることを特徴とする機能処理装置。
【請求項２】
前記実行中工程オブジェクト表示手段は、前記実行中である工程の工程内容を示す情報を、前記実行中の工程オブジェクトに隣接あるいは重なる態様で表示する請求項１記載の機能処理装置。
【請求項３】
前記実行中工程オブジェクト表示手段に前記実行中である工程の工程内容を示す情報の表示を指示する詳細工程情報表示指示手段を備える請求項１または２記載の機能処理装置。
【請求項４】
複数の機能から１つの機能を選択する機能選択手段を備え、前記工程オブジェクト表示手段は、前記機能選択手段により選択された機能を実現する複数の工程を示す工程オブジェクトを一覧表示する請求項１ないし３のいずれか１項に記載の機能処理装置。
【請求項５】
前記機能が、コピー機能，ＦＡＸ機能，プリント機能，スキャナ機能，および可搬型メディア入出力機能のうちの少なくとも１つの機能である請求項１ないし４のいずれか１項に記載の機能処理装置。
【発明の詳細な説明】
【技術分野】
【０００１】
本発明は機能処理装置に関し、詳しくは表示部を有する機能処理装置に関する。
【背景技術】
【０００２】
従来技術として、操作手順が簡単にわかるガイダンス表示装置が公知である（例えば、特許文献１参照）。このガイダンス表示装置は、各種操作手順の説明データを操作段階毎に記憶したガイダンスデータエリアを備え、ヘルプドライバを実行して次の操作が指定された場合に、ステータス要求のコマンドを送信し、現在の操作段階を自己チェックして作成された応答ステータスを受信すると、その応答ステータスに基づいてガイダンスデータエリアから該当する説明データを呼び出して表示するものである。
【特許文献１】特開平１０−２１０３０号公報
【発明の開示】
【発明が解決しようとする課題】
【０００３】
従来技術では、操作段階毎に該当する説明データが表示されるだけであったので、表示されている操作段階のうちのどの段階が実行中の段階であるかを識別することが容易でないという問題点があった。
【０００４】
本発明の課題は、上述の点に鑑み、機能を実現する複数の工程を一連の工程オブジェクトとして表示して、装置が実行中の工程を示す工程オブジェクト（以下、実行中工程オブジェクトという）を他の工程オブジェクトとは異なる表示態様で表示するようにした機能処理装置を提供することにある。
【課題を解決するための手段および発明の効果】
【０００５】
請求項１記載の機能処理装置は、少なくとも、画像データを取得する画像データ取得工程と、前記画像データを所定パラメータに従って処理する画像データ処理工程を含む複数の工程を経て成立する機能を実現する機能処理装置であって、表示部と、前記表示部に、前記機能を実現する複数の工程を示す工程オブジェクトを一覧表示する工程オブジェクト表示手段と、前記工程オブジェクト表示手段により表示された一連の工程オブジェクトのうちの実行中である工程を示すオブジェクトを、他の工程オブジェクトとは異なる表示態様で表示する実行中工程オブジェクト表示手段とを備えることを特徴とする。請求項１記載の機能処理装置によれば、機能を実現する複数の工程が一連の工程オブジェクトとして表示されるので、工程の進行順序を容易に把握することができるとともに、実行中工程オブジェクトが他の工程オブジェクトとは異なる表示態様で表示されるので、表示されている工程オブジェクトのうちのどの工程オブジェクトが実行中工程オブジェクトであるかを容易に識別することができる。
【０００６】
請求項２記載の機能処理装置は、請求項１記載の機能処理装置において、前記実行中工程オブジェクト表示手段は、前記実行中である工程の工程内容を示す情報を、前記実行中の工程オブジェクトに隣接あるいは重なる態様で表示することを特徴とする。請求項２記載の機能処理装置によれば、実行中工程オブジェクトとともにその工程内容を示す情報が表示されるので、実行中工程の詳しい工程内容を容易に理解することができる。
【０００７】
請求項３記載の機能処理装置は、請求項１または２記載の機能処理装置において、前記実行中工程オブジェクト表示手段に前記実行中である工程の工程内容を示す情報の表示を指示する詳細工程情報表示指示手段を備えることを特徴とする。請求項３記載の機能処理装置によれば、詳細工程情報表示指示手段を通じてユーザからの指示を受けたときにだけ実行中工程オブジェクトの工程内容を示す情報が表示されるようにしたので、不必要な工程内容を示す情報の表示がなくなり、処理を円滑に進めることができる。
【０００８】
請求項４記載の機能処理装置は、請求項１ないし３のいずれか１項に記載の機能処理装置において、複数の機能から１つの機能を選択する機能選択手段を備え、前記工程オブジェクト表示手段は、前記機能選択手段により選択された機能を実現する複数の工程を示す工程オブジェクトを一覧表示することを特徴とする。請求項４記載の機能処理装置によれば、機能選択手段により選択された機能を実現する複数の工程が一連の工程オブジェクトとして表示されるようにしたので、選択されなかった機能を実現する複数の工程の工程オブジェクトが表示されることはなく、無駄な工程オブジェクトの表示が抑制され、選択された機能を実現する複数の工程のみを円滑に進めることができる。
【０００９】
請求項５記載の機能処理装置は、請求項１ないし４のいずれか１項に記載の機能処理装置において、前記機能が、コピー機能，ＦＡＸ機能，プリント機能，スキャナ機能，および可搬型メディア入出力機能のうちの少なくとも１つの機能であることを特徴とする。請求項５記載の機能処理装置によれば、コピー機能，ＦＡＸ機能，プリント機能，スキャナ機能，および可搬型メディア入出力機能を実現する複数の工程の進行順序を容易に把握することができる。
【発明を実施するための最良の形態】
【００１０】
表示されている工程オブジェクトのうちのどの工程オブジェクトが実行中工程オブジェクトであるかを容易に識別するという目的を、機能を実現する複数の工程を一連の工程オブジェクトとして表示し、表示された複数の工程オブジェクトのうちの実行中工程オブジェクトを、他の工程オブジェクトとは異なる表示態様で表示することにより達成した。
【００１１】
以下、本発明の実施例について図面を参照して説明する。
【実施例１】
【００１２】
ここでは、コピー機能，ＦＡＸ機能，プリント機能，スキャナ機能，および可搬型メディア入出力機能を備えた複合機である機能処理装置の実施例を、図面を参照して説明する。
【００１３】
図１は、本発明の実施例１に係る機能処理装置１の平面図である。図２は、原稿押さえ板８を開いた状態における機能処理装置１の平面図である。図３（Ａ）は機能処理装置１の正面図であり、図３（Ｂ）は図１のＡ−Ａ断面略図である。
【００１４】
機能処理装置１は、平面視略正方形に形成されており、装置上面の正面側に操作パネル９が設けられている。また、装置上面には、スキャナ部（画像読取部）３と、原稿押さえ板８とが設けられている。
【００１５】
操作パネル９には、表示部２と、可搬型メディア用操作キー（可搬型メディアキー）５ａ，コピー用操作キー（コピーキー）５ｂ，ＦＡＸ用操作キー（ＦＡＸキー）５ｃ，スキャン用操作キー（スキャナキー）５ｄ，上下キー６ａ，左右キー６ｂ，停止／終了キー７，数字キー１０等の操作キー群４（図６参照）とが設けられている。
【００１６】
表示部２は、操作パネル９の幅方向の中央付近に配置されており、スキャナ部３によって読み取った被読取媒体（原稿）の画像データや、コピー機能，ＦＡＸ機能，プリント機能，スキャナ機能等を使用する際の情報を表示する。表示部２の縦幅は、機能処理装置１本体の奥行からスキャナ部３の読取面保護部材３ａの奥行を減じた長さと略同じに設定されている。つまり、比較的大きな表示部２が設けられており、そのため、個々の画像データを大きく表示できる。また、表示部２は、横長の四角形状に形成されており、画像データを表示する際には、縦長の画像データを複数個並置して表示できるようになっている。
【００１７】
表示部２は、例えば、図４に示すように、縦幅と横幅との比が３：４（又は９：１６）の単位パネル１９ａ，１９ｂを２つ、横方向に連結して一体化して形成されている。また、２つの単位パネル１９ａ，１９ｂの表面に一体の保護基材２０が設けられている。このようにすることにより、単位パネル１９ａ，１９ｂの境目がなく、見やすい表示部２となっている。なお、単位パネル１９ａ，１９ｂは、液晶表示装置（ＬＣＤ：Liquid Crystal Display）でなる。
【００１８】
ところで、図４では横長の表示部２を用いて説明したが、図５のような縦長の表示部２も同様の構成を採用することができる。
【００１９】
スキャナ部３は、周知のスキャナであり、例えばＡ４サイズの原稿を読み取れる大きさに形成されている。スキャナ部３は、平面視長方形とされており、長辺が横方向を向くように配置されている。スキャナ部３は、図２に示すように、ガラス等からなる読取面保護部材３ａ，密着型イメージセンサ等のイメージセンサ３ｂ，シャフト３ｃ，駆動ベルト３ｄ等から構成される。モータ（図示しない）が駆動ベルト３ｄを駆動することにより、イメージセンサ３ｂが図２の矢印方向に移動し、読取面保護部材３ａ上に配置された原稿の画像データが読み取られる。読み取られた画像データは表示部２にてカラー画像で表示することができ、また、操作キー群４の操作により用紙１２に印刷することもできる。
【００２０】
用紙１２は、例えばＡ４サイズの用紙であり、用紙トレイ１１に堆積されて収納される。用紙トレイ１１は、図２に示すように、機能処理装置１に対して正面側から出し入れできるようになっている。このように、用紙１２は、装置本体に対して縦向きに入れられており、それに対してスキャナ部３は横向きになっているため、機能処理装置１は、全体として平面視略正方形に形成されている。
【００２１】
図３（Ｂ）に示すように、スキャナ部３の下方には画像記録部１３が設けられている。用紙トレイ１１は、画像記録部１３のさらに下方に配置されている。操作キー群４の操作により用紙１２に印刷をする場合、用紙トレイ１１内の用紙１２は最上位の１枚が引き出されて、用紙１２の長手方向にＵターン搬送され、印刷ドラム１３ｂによって画像を印刷される。また、機能処理装置１の装置正面には排紙口１３ａが形成されており、印刷された用紙１２は排紙口１３ａから装置本体の正面側へ排紙される。このようにすることにより、機能処理装置１を使用するユーザに向かって用紙１２が出るため、ユーザが用紙１２を受け取りやすいことになる。
【００２２】
次に、図６を用いて、機能処理装置１の回路ブロック図について説明する。機能処理装置１は、ＣＰＵ（Central Processing Unit）２７と、ＲＡＭ（Random Access Memory）２８と、各種プログラムを記憶するＲＯＭ（Read Only Memory）２９と、これらを接続するバスライン２６と、バスライン２６に接続されたＩ／Ｏ（Input/Output）２５と、バスライン２６に接続された記憶装置２４（例えばＥＥＰＲＯＭ（Electrically Erasable & Programmable Read Only Memory）などの不揮発性メモリや、ハードディスクで構成される。また、フラッシュメモリ等の可搬型メディアであってもよい）と、通信ネットワーク１００に接続されてパーソナルコンピュータ３０との間でデータの送受信をする通信インターフェース（図中では「Ｉ／Ｆ」と表示）２３とを備えて構成される。通信インターフェース２３は、有線通信用インターフェースまたは無線通信用インターフェースのいずれが用いられてもよい。Ｉ／Ｏ２５には、既述した表示部２，スキャナ部３，操作キー群４，画像記録部１３，およびＦＡＸ送受信部２２が接続されている。ＦＡＸ送受信部２２は、公衆回線に接続されている。
【００２３】
ＲＯＭ２９には、表示制御プログラム２９ａ，制御プログラム２９ｂ等のプログラムが記憶されている。表示制御プログラム２９ａは、表示部２に、機能を実現する複数の工程を一連の工程オブジェクトとして表示するためのプログラムである。また、制御プログラム２９ｂは、操作キー群４の操作に基づいて画像記録部１３，スキャナ部３，ＦＡＸ送受信部２２を稼動させるためのプログラムである。
【００２４】
図７は、表示制御プログラム２９ａによる表示制御処理ｃｐと、監視処理ｍｐと、コピー入力処理ｉｐ１，ＦＡＸ受信処理ｉｐ２，プリント入力処理ｉｐ３，スキャナ入力処理ｉｐ４，および可搬型メディア入力処理ｉｐ５からなる画像入力処理ｉｐと、コピー出力処理ｏｐ１，ＦＡＸ送信処理ｏｐ２，プリント出力処理ｏｐ３，スキャナ出力処理ｏｐ４，および可搬型メディア出力処理ｏｐ５からなる画像出力処理ｏｐとの間の処理（プロセス）間通信の関係を示す図である。表示制御処理ｃｐと画像入力処理ｉｐとは、監視処理ｍｐを介して互いに通信する。表示制御処理ｃｐと画像出力処理ｏｐとは、監視処理ｍｐを介して互いに通信する。
【００２５】
図８は、コピーモード時の表示データを例示するテーブルである。コピーモード時の表示データは、工程と、工程オブジェクトの工程情報と、工程オブジェクトの工程内容を示す情報（以下、詳細工程情報という）と、主体（ユーザまたは装置）とからなるレコードが複数、実行順に格納されている。なお、コピーモード時の表示データ（他の動作モード時の表示データも同様）は、記憶装置２４にあらかじめ格納されているものとする。
【００２６】
図９は、表示制御プログラム２９ａによるコピーモード処理を示すフローチャートである。
【００２７】
図１０は、コピーモード時の表示部２の表示例を示す図である。ここでは、コピーモードで順次実行される複数の工程が一連の工程オブジェクトとして表示されている。また、動作中工程オブジェクトがプルダウンメニュー形式で拡大表示されている。拡大表示された動作中工程オブジェクトには、該当工程の詳細工程情報が表示される。
【００２８】
次に、このように構成された実施例１に係る機能処理装置１の動作について、図１ないし図１０を参照しながら説明する。
【００２９】
いま、ユーザが操作キー群４を操作してコピーモードを選択したものとする。すると、ＣＰＵ２７に割込みが入り、コピーモードを示す動作モード表示選択コマンドが表示制御処理ｃｐに渡される。
【００３０】
表示制御処理ｃｐは、コピーモードを示す動作モード表示選択コマンドを受信すると（図９のＳ１０１：ＹＥＳ）、動作モード表示選択コマンドに該当するコピーモードを選択する（図９のＳ１０２）。すなわち、画像入力処理ｉｐがスキャナ入力処理ｉｐ４、画像出力処理ｏｐがプリント出力処理ｏｐ３であるコピー機能が選択される。
【００３１】
次に、表示制御処理ｃｐは、記憶装置２４から図８に示すコピーモード時の表示データを取得し、コピーモード時の表示データを表示部２に送信する（図９のＳ１０３）。
【００３２】
この結果、表示部２は、例えば図１０に示すようなコピーモードで順次実行される複数の工程を一連の工程オブジェクトとして表示する（図９のＳ１０４）。ここでは、「原稿セット」オブジェクト，「設定変更」オブジェクト，「読取中」オブジェクト，「読取中＋記録中」オブジェクト，「記録中」オブジェクト，および「コピー完了」オブジェクトが、一連の工程オブジェクトとして表示される。
【００３３】
次に、表示制御処理ｃｐは、図示しないＡＤＦ（Auto Document Feeder）センサがＯＮされているかどうかに基づいてスキャナ部３における原稿の有無を判定する（図９のＳ１０５）。なお、ＡＤＦセンサのＯＮ／ＯＦＦ状態を得て原稿の有無を判定しても、スキャナ入力処理ｉｐ４がＡＤＦセンサの状態を得て通信してくるＯＮ／ＯＦＦ状態の通知を受けたかどうかで原稿の有無を判定しても構わない。また、フラットベッドの場合はＡＤＦセンサで検知できないので、ステップ１０５がＮＯと判定されるループ中で「コピーキーは押されたか？」（図９のＳ１０９）の判定を行い、ＮＯならばステップＳ１０５に戻り、ＹＥＳならばステップＳ１１０に進むという処理を行う。
【００３４】
続いて、表示制御処理ｃｐは、「原稿セット」オブジェクトを拡大表示して（図９のＳ１０６）、現在設定されている設定を使用するかどうかを判定する（図９のＳ１０７）。
【００３５】
現在設定されている設定を使用しない場合には（図９のＳ１０７：ＮＯ）、表示制御処理ｃｐは、コピーの設定をユーザに行わせる（図９のＳ１０８）。詳しくは、表示制御処理ｃｐは、「設定変更」オブジェクトを拡大表示し、「コピーの設定をしてください。現在設定されている設定を使用する場合→コピーのキーを押してください。設定を変更する場合→メニューのキーを押してください。」という詳細工程情報をプルダウンメニュー形式で表示する。ユーザは、表示された詳細工程情報を見ることにより、操作を間違うことなくコピーの設定を行うことができる。
【００３６】
ユーザによるコピー設定の完了後、または現在設定されている設定を使用する場合には（図９のＳ１０７：ＹＥＳ）、表示制御処理ｃｐは、コピーキー５ｂが押下されたかどうかを判定する（図９のＳ１０９）。表示制御処理ｃｐがコピーキー５ｂのＯＮ／ＯＦＦ状態を得て判定することを想定しているが、画像入力処理ｉｐが通信してくる画像入力開始の通知を得たならば、ＹＥＳと判定しても構わない。
【００３７】
コピーキー５ｂが押下されたならば（図９のＳ１０９：ＹＥＳ）、表示制御処理ｃｐは、コピー動作（スキャナ入力処理ｉｐ５によるスキャナ部３からの画像入力）を開始するとともに、表示部２において「読取中」オブジェクトを拡大表示する（図９のＳ１１０）。
【００３８】
スキャナ入力処理ｉｐ５は、スキャナ部３で原稿をラインセンサ３ｂで読み取り、読み取った画像データをＲＡＭ２８にリアルタイムに保存していく。画像読取開始時に、スキャナ入力処理ｉｐ５は、原稿の横幅の値を取得する。原稿の横幅の値は、ラインセンサ３ｂで原稿のサイズを測るか、原稿サイズをユーザ指定されるかで決定される。原稿を読み取って生成する画像データの色数・解像度の値を取得する。生成される画像データの色数・解像度は、画像出力処理ｏｐであるプリント出力処理ｏｐ３の色数・解像度によって決定される、もしくは選択範囲が限定されてその中からユーザにより選択される。スキャナ入力処理ｉｐ５は、画像入力を開始すると、監視処理ｍｐを介して表示制御処理ｃｐに画像入力開始の通知を行う。画像入力開始の通知の代わりにフラグをＯＮにするなどしてもよい。また、スキャナ入力処理ｉｐ５は、１ページ分の原稿の読取を終了する度に、入力終了フラグをＯＮする。さらに、スキャナ入力処理ｉｐ５は、新たなページの読取を開始する度に、入力終了フラグをＯＦＦする。
【００３９】
次に、表示制御処理ｃｐは、プリント出力処理ｏｐ３による画像記録が開始されたかどうかを判定する（図９のＳ１１１）。画像記録が開始されていなければ（図９のＳ１１１：ＮＯ）、表示制御処理ｃｐは、ステップＳ１１１で待機する。
【００４０】
プリント出力処理ｏｐ３は、起動時に、どの画像入力処理ｉｐでＲＡＭ２８に保存される画像を記録対象とするのかという情報を取得する。どの画像出力処理ｏｐが起動しているのかを監視する監視処理ｍｐがあり、監視処理ｍｐから情報を取得する、もしくは画像出力処理ｏｐが起動するときに起動フラグを立てており、そのフラグを確認するのとどちらでもよい。記録対象の画像の入力を行っている画像入力処理ｉｐで処理している原稿の横幅・色数・解像度の処理パラメータ情報を取得する。画像入力処理ｉｐが処理パラメータ情報を記憶しているメモリ（ＲＡＭ２８または記憶装置２４）から読み出してもよいし、画像入力処理ｉｐに問い合わせてもよい。処理パラメータ情報から、ＲＡＭ２８に保存されたデータが何バイト溜まれば画像出力処理ｏｐを開始できるかなどを計算する。以降は、プリント出力処理ｏｐ３は、画像記録の進行の度に監視処理ｍｐを介して表示制御処理ｃｐに通知を行う。通知の代わりにカウンタを増やすなどしてもよい。プリント出力処理ｏｐ３は、１ページ分の原稿の記録を終了する度に監視処理ｍｐを介して表示制御処理ｃｐに通知を行う。同じく、カウンタでも構わない。全ページ分の原稿の記録を終了したならば、プリント出力処理ｏｐ３は、画像記録終了の通知を監視処理ｍｐを介して表示制御処理ｃｐに行う。なお、フラグを立てても構わない。
【００４１】
監視処理ｍｐは、スキャナ入力処理ｉｐ４がＲＡＭ２８に保存していくデータを監視し、画像記録が開始できる分だけ溜まれば、画像記録開始の通知を表示制御処理ｃｐに行う。
【００４２】
画像記録開始の通知があれば（図９のＳ１１１：ＹＥＳ）、表示制御処理ｃｐは、表示部２において「読取中＋記録中」オブジェクトを拡大表示する（図９のＳ１１２）。
【００４３】
続いて、表示制御処理ｃｐは、入力終了フラグを確認して画像読取終了かどうかを判定する（図９のＳ１１３）。画像読取終了でなければ（図９のＳ１１３：ＮＯ）、表示制御処理ｃｐは、画像読取終了になるまでステップＳ１１３で待機する。画像読取終了になると（図９のＳ１１３：ＹＥＳ）、表示制御処理ｃｐは、表示部２において「記録中」オブジェクトを拡大表示する（図９のＳ１１４）。
【００４４】
次に、表示制御処理ｃｐは、画像記録終了かどうかを判定する（図９のＳ１１５）。プリント出力処理ｏｐ３は、全ページ分の原稿の記録を終了すると、監視処理ｍｐを介して表示制御処理ｃｐに画像記録終了の通知を行うので、この画像記録終了の通知に基づいて判定する。なお、プリント出力処理ｏｐ３が進行状況を示すフラグやカウンタを更新していて、表示制御処理ｃｐが、フラグやカウンタの値から画像記録の終了を判定しても構わない。
【００４５】
画像記録終了の通知があれば（図９のＳ１１５：ＹＥＳ）、表示制御処理ｃｐは、表示部２において「コピー完了」オブジェクトを拡大表示し（図９のＳ１１６）、コピーモード処理を終了する。
【００４６】
図１１は、ＦＡＸ送信モード時の表示データを例示するテーブルである。ＦＡＸ送信モード時の表示データも、工程と、工程オブジェクトの工程情報と、工程オブジェクトの詳細工程情報と、主体（ユーザまたは装置）とからなるレコードが複数、実行順に格納されている。加えて、図１１に示すＦＡＸ送信モード時の表示データでは、工程３が工程３−１，３−２，３−３の３つに細分化されて記憶されている。ＦＡＸ送信モード時の表示データの場合にも、コピーモード時の表示データの場合と同様の表示が表示部２において行われる。すなわち、図１１に示すＦＡＸ送信モード時の表示データに基づいて、表示部２には、「原稿セット」オブジェクト，「設定変更」オブジェクト，「読取中」オブジェクト，「送信中」オブジェクト，および「送信完了」オブジェクトの一連の工程オブジェクトが表示される。さらに、実行中工程オブジェクトである「設定変更」オブジェクトについては、同工程オブジェクトのプルダウンメニュー形式で、「ＦＡＸ送信の設定をしてください。現在設定されている設定を使用する場合→送信のキーを押してください。設定を変更する場合→メニューのキーを押してください。」という詳細工程情報が拡大表示される。加えて、図１１に示すＦＡＸ送信モード時の表示データでは、工程３が工程３−１，３−２，３−３の３つの細分化されているので、必要に応じて「読取中」オブジェクトを、「原稿給紙中」オブジェクト，「原稿給紙＋読取中」オブジェクト，および「読取完了」オブジェクトの３つの工程オブジェクトに細分化して表示することができる。
【００４７】
図１２は、表示制御プログラム２９ａの一般化した動作モード処理を示すフローチャートである。以下、図１２を参照して、一般化した動作モード処理について説明する。
【００４８】
表示制御処理ｃｐは、動作モード表示選択コマンドを受信すると（図１２のＳ２０１：ＹＥＳ）、動作モード表示選択コマンドに該当する動作モードを選択する（図１２のＳ２０２）。
【００４９】
次に、表示制御処理ｃｐは、記憶装置２４から該当する動作モード時の表示データを取得し、該当する動作モード時の表示データを表示部２に送信する（図１２のＳ２０３）。
【００５０】
この結果、表示部２は、該当する動作モードで順次実行される複数の工程を一連の工程オブジェクトとして表示する（図１２のＳ２０４）。
【００５１】
次に、表示制御処理ｃｐは、一連の工程オブジェクトのうちの最初の工程オブジェクトの拡大表示をする（図１２のＳ２０５）。
【００５２】
続いて、表示制御処理ｃｐは、状況に変化があったかどうかを判定する（図１２のＳ２０６）。状況に変化がなければ（図１２のＳ２０６：ＮＯ）、表示制御処理ｃｐは、ステップＳ２０６で待機する。
【００５３】
状況に変化があれば（図１２のＳ２０６：ＹＥＳ）、表示制御処理ｃｐは、状況の変化は画像入力処理ｉｐを開始することかどうかを判定する（図１２のＳ２０７）。状況の変化が画像入力処理ｉｐを開始することでなければ（図１２のＳ２０７：ＮＯ）、表示制御処理ｃｐは、次の工程オブジェクトを拡大表示して（図１２のＳ２０８）、ステップＳ２０７に制御を戻す。
【００５４】
状況の変化が画像入力処理ｉｐを開始することであれば（図１２のＳ２０７：ＹＥＳ）、表示制御処理ｃｐは、画像入力処理ｉｐの最初の工程オブジェクトを拡大表示する（図１２のＳ２０９）。
【００５５】
次に、表示制御処理ｃｐは、状況に変化があったかどうかを判定する（図１２のＳ２１０）。状況に変化がなければ（図１２のＳ２１０：ＮＯ）、表示制御処理ｃｐは、ステップＳ２１０で待機する。
【００５６】
状況に変化があれば（図１２のＳ２１０：ＹＥＳ）、表示制御処理ｃｐは、状況の変化が画像出力処理ｏｐを開始することかどうかを判定する（図１２のＳ２１１）。状況の変化が画像出力処理ｏｐを開始することでなければ（図１２のＳ２１１：ＮＯ）、表示制御処理ｃｐは、次の工程オブジェクトを拡大表示して（図１２のＳ２１２）、ステップＳ２１１に制御を戻す。
【００５７】
状況の変化が画像出力処理ｏｐを開始することであれば（図１２のＳ２１１：ＹＥＳ）、表示制御処理ｃｐは、画像出力処理ｏｐの最初の工程オブジェクトを拡大表示する（図１２のＳ２１３）。
【００５８】
次に、表示制御処理ｃｐは、状況に変化があったかどうかを判定する（図１２のＳ２１４）。状況に変化がなければ（図１２のＳ２１４：ＮＯ）、表示制御処理ｃｐは、ステップＳ２１４で待機する。
【００５９】
状況に変化があれば（図１２のＳ２１４：ＹＥＳ）、表示制御処理ｃｐは、状況の変化が画像出力処理ｏｐを終了することかどうかを判定する（図１２のＳ２１５）。状況の変化が画像出力処理ｏｐを終了することでなければ（図１２のＳ２１５：ＮＯ）、表示制御処理ｃｐは、次の工程オブジェクトを拡大表示して（図１２のＳ２１６）、ステップＳ２１５に制御を戻す。
【００６０】
状況の変化が画像出力処理ｏｐを終了することであれば（図１２のＳ２１５：ＹＥＳ）、表示制御処理ｃｐは、動作完了を示す最後の工程オブジェクトを拡大表示して（図１２のＳ２１７）、一般化した動作モード処理を終了する。
【００６１】
実施例１によれば、機能を実現する複数の工程を一連の工程オブジェクトとして表示して、実行中工程オブジェクトを拡大表示するようにしたので、実行中工程オブジェクトを他の工程オブジェクトとは異なる表示態様で表示することができる。
【００６２】
なお、実施例１では、実行中工程オブジェクトを他の工程オブジェクトとは異なる表示態様で表示する方法として拡大表示を用いたが、色彩の変更表示，枠の強調表示等のその他の方法を採用することもできる。
【００６３】
また、実施例１では、表示部２と操作キー群４とを別体のものとして説明したが、パネル操作のヘルプ機能として表示部２にパネルキー配列を表示し、そのパネルキー配列表示の上部に機能を実現する複数の工程を一連の工程オブジェクトとして表示して、パネルキー操作を行ったときに実行中工程オブジェクトがどのように遷移してゆくかを表示するようにしてもよい。
【００６４】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００６５】
【図１】本発明の実施例１に係る機能処理装置の平面図。
【図２】原稿押さえ板を開いた状態における機能処理装置の平面図。
【図３】（Ａ）は機能処理装置の正面図、（Ｂ）は断面図。
【図４】表示部の拡大図。
【図５】スキャナ部の側方に表示部を配置した機能処理装置の例を示す平面図。
【図６】機能処理装置の回路ブロック図。
【図７】表示制御プログラムにおける処理（プロセス）間通信の関係を示す図。
【図８】コピーモード時の表示データを例示するテーブル。
【図９】表示制御プログラムによるコピーモード処理を示すフローチャート。
【図１０】コピーモード時の表示部の表示例を示す図。
【図１１】ＦＡＸ送信モード時の表示データを例示するテーブル。
【図１２】表示制御プログラムによる一般化した動作モード処理を示すフローチャート。
【符号の説明】
【００６６】
１  機能処理装置
２  表示部
３  スキャナ部
４  操作キー群
５ａ  可搬型メディアキー（機能選択手段）
５ｂ  コピーキー（機能選択手段）
５ｃ  ＦＡＸキー（機能選択手段）
５ｄ  スキャナキー（機能選択手段）
８  原稿押さえ板
９  操作パネル
１３  画像記録部
２２  ＦＡＸ送受信部
２９ａ  表示制御プログラム（工程オブジェクト表示手段，実行中工程オブジェクト表示手段）
【図３】
2007259349.tif 000003
【図４】
2007259349.tif 000004
【図５】
2007259349.tif 000005
【図６】
2007259349.tif 000006
【図７】
2007259349.tif 000007
【図８】
2007259349.tif 000008
【図９】
2007259349.tif 000009
【図１０】
2007259349.tif 000010
【図１１】
2007259349.tif 000011
【図１２】
2007259349.tif 000012
【図１】
2007259349.tif 000013
【図２】
2007259349.tif 000014